(57)【要約】【課題】  簡易な構成によってホワイトバランスを調整する。【解決手段】  コンピュータ３０の指令に基づいてパターンジェネレータ４０が異なる輝度を有する複数のホワイトバランス調整用画像を時分割的（ステップＳ１００，Ｓ１２０，１４０）に順にディスプレイ１２に表示させる。そして、これらのホワイトバランス調整用画像を順に単一のカラーアナライザ２０が撮像し、順に色彩値を取得する。コンピュータ３０は、これらの色彩値をカラーアナライザ２０から取得するとともに、当該色彩値に基づいて調整パラメータを設定し、パネルディスプレイモジュール１１のマイコン１１ｄに出力する。【選択図】  図３
2008141587.tif 000002
【特許請求の範囲】
【請求項１】
アナログ入力端子を介して入力されたアナログ映像信号をデジタル映像信号に変換するＡ／Ｄ変換回路と、当該デジタル映像信号を調整パラメータを反映させたデジタル信号処理により調整する画質調整回路とを備えるパネルディスプレイモジュールのホワイトバランスを調整するホワイトバランス調整システムにおいて、
上記パネルディスプレイモジュールに対してアナログのホワイトバランス調整用画像を上記アナログ入力端子を介して出力するパターンジェネレータと、
上記パネルディスプレイモジュールを撮像し、その色彩値を取得する１つのカラーアナライザと、
上記パターンジェネレータに対して互いに輝度の異なる３以上の上記ホワイトバランス調整用画像を時分割的に出力させるよう指令する切替手段と、上記カラーアナライザが上記２以上の上記ホワイトバランス調整用画像を撮像して取得した２以上の上記色彩値に基づいて上記パネルディスプレイモジュールに設定する調整パラメータを決定する設定手段と、上記調整パラメータを上記パネルディスプレイモジュールの上記画質調整回路に対して出力する出力手段とを備えたコンピュータとを具備することを特徴とするホワイトバランス調整システム。
【請求項２】
パネルディスプレイモジュールのホワイトバランスを調整するホワイトバランス調整システムにおいて、
上記パネルディスプレイモジュールに対してホワイトバランス調整用画像を出力するパターンジェネレータと、
上記パネルディスプレイモジュールを撮像し、その色彩値を取得するカラーアナライザと、
上記パターンジェネレータに対して２以上の上記ホワイトバランス調整用画像を時分割的に出力させるよう指令する切替手段と、上記カラーアナライザが上記２以上の上記ホワイトバランス調整用画像を撮像して取得した２以上の上記色彩値に基づいて上記パネルディスプレイモジュールに設定する調整パラメータを決定する設定手段と、上記調整パラメータを上記パネルディスプレイモジュールに対して出力する出力手段とを備えたコンピュータとを具備することを特徴とするホワイトバランス調整システム。
【請求項３】
上記切替手段は、互いに輝度の異なる２以上の上記ホワイトバランス調整用画像を時分割的に出力させるよう指令することを特徴とする請求項２に記載のホワイトバランス調整システム。
【請求項４】
上記パターンジェネレータは上記パネルディスプレイモジュールが備えるアナログ入力端子を介してアナログの上記ホワイトバランス調整用画像を出力することを特徴とする請求項２または請求項３のいずれかに記載のホワイトバランス調整システム。
【請求項５】
上記パネルディスプレイモジュールは、
上記アナログ入力端子を介して入力されたアナログ映像信号をデジタル映像信号に変換するＡ／Ｄ変換回路と、
当該デジタル映像信号を上記調整パラメータを反映させたデジタル信号処理により調整する画質調整回路と具備することを特徴とする請求項２から請求項４のいずれかに記載のホワイトバランス調整システム。
【請求項６】
上記切替手段は、３以上の上記ホワイトバランス調整用画像を時分割的に出力させるよう指令することを特徴とする請求項２から請求項５のいずれかに記載のホワイトバランス調整システム。
【請求項７】
パネルディスプレイモジュールのホワイトバランスを調整するコンピュータにおいて、
上記パネルディスプレイモジュールに対してホワイトバランス調整用画像を出力するパターンジェネレータに対して２以上の上記ホワイトバランス調整用画像を時分割的に出力させるよう指令する切替手段と、
カラーアナライザが上記２以上の上記ホワイトバランス調整用画像を撮像して取得した２以上の上記色彩値を取得し、その色彩値に基づいて上記パネルディスプレイモジュールに設定する調整パラメータを決定する設定手段と、
上記調整パラメータを上記パネルディスプレイモジュールに対して出力する出力手段とを具備することを特徴とするコンピュータ。
【発明の詳細な説明】
【技術分野】
【０００１】
本発明は、ホワイトバランス調整システムおよびコンピュータに関するものである。
【背景技術】
【０００２】
通常、ホワイトバランスの調整はシャドウ画像とハイライト画像をディスプレイに表示させ、その色彩値を解析することにより行われる。この場合、シャドウ画像とハイライト画像をディスプレイにて分割して表示し、それぞれの画像を異なるカラーアナライザによって撮像することにより、シャドウ画像とハイライト画像の評価の色彩値を取得していた。このように、シャドウ画像とハイライト画像の双方を評価することにより、全体的な輝度に対して適切なホワイトバランスの調整を実現することが可能であった。なお、関連する技術として、テスト画像をディスプレイに表示させて撮像することにより、γ値を補正したり（特許文献１、参照。）、色むらを補正したり（特許文献２、参照。）する技術が開示されている。また、同一のフレームを３回ディスプレイに表示させて、ホワイトバランスを調整する技術が開示されている（特許文献２、参照。）。
【特許文献１】特開２００６−２１７２０８号公報
【特許文献２】特開２００３−１３１６４０号公報
【特許文献３】特開平１０−３３６５１３号公報
【発明の開示】
【発明が解決しようとする課題】
【０００３】
しかしながら、上述したホワイトバランス調整においてはテスト画像の分割表示領域ごとにカラーアナライザを備えなければならないという問題があった。ホワイトバランスをより正確に調整するためには、シャドウ画像とハイライト画像のみならずより多くの輝度のテスト画像を評価することが望ましいが、各輝度ごとにカラーアナライザを備えなければならず、調整に必要な装置が大がかりとなってしまう。また、各輝度のテスト画像に対して統一した評価を行うために、各カラーアナライザの出力を統一しなければならず、調整が煩雑であるという問題もあった。
本発明は、上記課題にかんがみてなされたもので、簡易な構成によってホワイトバランスの調整が可能なホワイトバランス調整システムおよびホワイトバランスを調整するためのコンピュータを提供することを目的とする。
【課題を解決するための手段】
【０００４】
上記目的を達成するために請求項２にかかる発明では、パネルディスプレイモジュールのホワイトバランスを調整するホワイトバランス調整システムにおいて、上記パネルディスプレイモジュールに対してホワイトバランス調整用画像を出力するパターンジェネレータと、上記パネルディスプレイモジュールを撮像し、その色彩値を取得するカラーアナライザと、上記パターンジェネレータに対して２以上の上記ホワイトバランス調整用画像を時分割的に出力させるよう指令する切替手段と、上記カラーアナライザが上記２以上の上記ホワイトバランス調整用画像を撮像して取得した２以上の上記色彩値に基づいて上記パネルディスプレイモジュールに設定する調整パラメータを決定する設定手段と、上記調整パラメータを上記パネルディスプレイモジュールに対して出力する出力手段とを備えたコンピュータとを具備する構成としてある。
【０００５】
上記のように構成した請求項２の発明において、パターンジェネレータは、上記パネルディスプレイモジュールに対してホワイトバランス調整用画像を出力する。カラーアナライザは、上記パネルディスプレイモジュールを撮像し、その色彩値を取得する。コンピュータは切替手段と設定手段と出力手段とを有し、この切替手段は上記パターンジェネレータに対して２以上の上記ホワイトバランス調整用画像を時分割的に出力させるよう指令する。従って、上記ディスプレイには２以上の上記ホワイトバランス調整用画像が時分割的に表示されることとなる。上記設定手段は、上記カラーアナライザが上記２以上の上記ホワイトバランス調整用画像を撮像して取得した２以上の上記色彩値に基づいて上記パネルディスプレイモジュールに設定する調整パラメータを決定する。さらに、上記出力手段は、上記設定手段にて設定された上記調整パラメータを上記パネルディスプレイモジュールに対して出力する。
【０００６】
また、請求項３にかかる発明では、上記切替手段は、互いに輝度の異なる２以上の上記ホワイトバランス調整用画像を時分割的に出力させるよう指令する構成としてある。
上記のように構成した請求項３の発明において、上記切替手段により互いに輝度の異なる２以上の上記ホワイトバランス調整用画像が時分割的に上記パネルディスプレイモジュールにて表示される。これらのホワイトバランス調整用画像に基づいて上記調整パラメータが設定される。
【０００７】
さらに、請求項４にかかる発明では、上記パターンジェネレータは上記パネルディスプレイモジュールが備えるアナログ入力端子を介してアナログの上記ホワイトバランス調整用画像を出力する構成としてある。
上記のように構成した請求項４の発明において、上記パターンジェネレータはアナログの上記ホワイトバランス調整用画像を上記パネルディスプレイモジュールが備えるアナログ入力端子を介して当該パネルディスプレイモジュールに出力する。
【０００８】
また、請求項５にかかる発明では、上記パネルディスプレイモジュールは、上記アナログ入力端子を介して入力されたアナログ映像信号をデジタル映像信号に変換するＡ／Ｄ変換回路と、当該デジタル映像信号を上記調整パラメータを反映させたデジタル信号処理により調整する画質調整回路と具備する構成としてある。
上記のように構成した請求項５の発明において、上記アナログ入力端子を介して入力されたアナログ映像信号をデジタル映像信号に変換するＡ／Ｄ変換回路と、当該デジタル映像信号を上記調整パラメータを反映させたデジタル信号処理により調整する画質調整回路とが上記パネルディスプレイモジュールに備えられることとなる。すなわち、デジタルの映像信号に対するデジタル信号処理によってホワイトバランスが調整される。
【０００９】
さらに、請求項６にかかる発明では、上記切替手段は、３以上の上記ホワイトバランス調整用画像を時分割的に出力させるよう指令する構成としてある。
上記のように構成した請求項６の発明において、３以上の上記ホワイトバランス調整用画像が時分割的に出力されるため、より細かい輝度についてホワイトバランスを評価することができる。
【００１０】
また、請求項７にかかる発明では、パネルディスプレイモジュールのホワイトバランスを調整するコンピュータにおいて、上記パネルディスプレイモジュールに対してホワイトバランス調整用画像を出力するパターンジェネレータに対して２以上の上記ホワイトバランス調整用画像を時分割的に出力させるよう指令する切替手段と、カラーアナライザが上記２以上の上記ホワイトバランス調整用画像を撮像して取得した２以上の上記色彩値を取得し、その色彩値に基づいて上記パネルディスプレイモジュールに設定する調整パラメータを決定する設定手段と、上記調整パラメータを上記パネルディスプレイモジュールに対して出力する出力手段とを具備する構成としてある。
【００１１】
すなわち、本発明は、本発明の特徴的構成を具備するコンピュータ単体においても実現することができる。以上の構成をさらに具体化したホワイトバランス調整システムによっても本発明を実現することができ、その具体例として請求項１にかかる発明は、アナログ入力端子を介して入力されたアナログ映像信号をデジタル映像信号に変換するＡ／Ｄ変換回路と、当該デジタル映像信号を調整パラメータを反映させたデジタル信号処理により調整する画質調整回路とを備えるパネルディスプレイモジュールのホワイトバランスを調整するホワイトバランス調整システムにおいて、上記パネルディスプレイモジュールに対してアナログのホワイトバランス調整用画像を上記アナログ入力端子を介して出力するパターンジェネレータと、上記パネルディスプレイモジュールを撮像し、その色彩値を取得する１つのカラーアナライザと、上記パターンジェネレータに対して互いに輝度の異なる３以上の上記ホワイトバランス調整用画像を時分割的に出力させるよう指令する切替手段と、上記カラーアナライザが上記２以上の上記ホワイトバランス調整用画像を撮像して取得した２以上の上記色彩値に基づいて上記パネルディスプレイモジュールに設定する調整パラメータを決定する設定手段と、上記調整パラメータを上記パネルディスプレイモジュールの上記画質調整回路に対して出力する出力手段とを備えたコンピュータとを具備する構成としてある。
【００１２】
かかる構成においても請求項２から請求項５の各発明の発明特定事項が含まれるため、請求項２から請求項５の各発明の単独または相乗的な作用効果が実現できることはいうまでもない。
【発明の効果】
【００１３】
請求項１、請求項２および請求項７の発明によれば、簡易な構成によってホワイトバランスの調整が可能なホワイトバランス調整システムおよびホワイトバランスを調整するためのコンピュータを提供することができる。
請求項３の発明によれば、異なる輝度におけるホワイトバランスの評価を１つのカラーアナライザによって評価することができる。
請求項４の発明によれば、アナログ信号を表示させたときのホワイトバランスを評価することができる。
請求項５の発明によれば、Ａ／Ｄ変換回路によるＡ／Ｄ変換の際に生じるホワイトバランスのずれを調整することができる。でもない。
請求項６の発明によれば、ホワイトバランスを精度よく調整することができる。
【発明を実施するための最良の形態】
【００１４】
ここでは、下記の順序に従って本発明の実施形態について説明する。
（１）ホワイトバランス調整システム：
（２）ホワイトバランス調整処理：
【００１５】
（１）ホワイトバランス調整システム
図１は、本発明の一実施形態にかかるホワイトバランス調整システム１００の構成を概略的に示している。同図において、パネルディスプレイモジュール１１を組み込んだパネル型テレビジョン１０が例えばコンベヤー等によって搬送されてディスプレイ１２を１台のカラーアナライザ２０で撮像可能な位置にセットされている。ディスプレイ１２は、例えばＬＣＤパネルやＰＤＰパネルである。パネル型テレビジョン１０が正規の位置にセットされた状態で、コンピュータ３０とパターンジェネレータ４０がパネル型テレビジョン１０に接続される。コンピュータ３０はカラーアナライザ２０と接続されている。なお、ホワイトバランスの調整は、パネル型テレビジョン１０が組み上がった状態で行う場合に限られず、パネルディスプレイモジュール１１単体に対しても行うことができる。
【００１６】
図２は、パネルディスプレイモジュール１１の内部構成を概略的に示している。同図において、パネルディスプレイモジュール１１は、パネル型テレビジョン１０の外部端子からアナログ映像信号が入力されるアナログ入力端子１１ａを備えている。このアナログ入力端子１１ａに対して、パターンジェネレータ４０が接続され、複数のホワイトバランス調整用画像がアナログ映像信号としてパターンジェネレータ４０から入力される。アナログ入力端子１１ａから入力されたホワイトバランス調整用画像等のアナログ映像信号をデジタル映像信号に変換するＡ／Ｄ変換回路１１ｂが備えられ、当該Ａ／Ｄ変換回路１１ｂにて例えばＲＧＢ各チャンネルの多階調の色信号で構成されたデジタル映像信号が生成される。
【００１７】
画質調整回路１１ｃは、マイコン１１ｄの書換可能なＲＯＭに記憶された調整パラメータ１１ｄ１に基づくデジタル信号処理によってデジタル映像信号の画質を調整する。マイコン１１ｄは入力ポート１１ｄ２を有しており、外部のコンピュータ３０を接続することが可能となっている。入力ポート１１ｄ２にはコンピュータ３０が接続されており、コンピュータ３０から調整パラメータ１１ｄ１を調整するための信号を入力することが可能となっている。マイコン１１ｄは、コンピュータ３０から調整パラメータ１１ｄ１を調整するための信号を受け付けると、ＲＯＭに記憶された調整パラメータ１１ｄ１を調整後の値に更新する。これにより、以降、画質調整回路１１ｃが行う画質調整には新たな調整パラメータ１１ｄ１が反映されることとなる。
【００１８】
画質調整回路１１ｃにて調整されたデジタル映像信号は、スケーラ回路１１ｅに入力されディスプレイ１２に表示するために適するサイズに調整される。そして、サイズ調整されたデジタル映像信号はディスプレイドライバ１１ｆに出力され、当該ディスプレイドライバ１１ｆにてディスプレイ１２を構成する各画素を駆動可能な駆動信号に変換される。これにより、ディスプレイ１２にてカラー映像を出力することができる。
【００１９】
コンピュータ３０は図示しないＣＰＵやＲＡＭやハードディスク等を備えており、ハードディスクに記憶されたホワイトバランス調整プログラムをＲＡＭに展開してＣＰＵにて実行させる。コンピュータ３０はシリアルまたはパラレルの図示しない外部入力ポートを有しており、当該外部入力ポートを介してカラーアナライザ２０が接続されている。カラーアナライザ２０は、図示しないＣＣＤあるいはＣＭＯＳ撮像素子を備えており、当該撮像素子にて撮像された画像信号を所定の表色系の色彩値に変換してコンピュータ３０に出力する。さらに、コンピュータ３０は図示しない出力入力ポートを有しており、当該外部出力ポートを介してパターンジェネレータ４０が接続されている。パターンジェネレータ４０は外部出力ポートを介して入力されたコンピュータ３０からの指令に基づきコンポジットまたはコンポーネントのホワイトバランス調整用画像を生成し、接続されているアナログ入力端子１１ａに出力する。
【００２０】
（２）ホワイトバランス調整処理：
図３は、コンピュータ３０が実行するホワイトバランス調整処理の流れを示している。同図において、ステップＳ１００においてはコンピュータ３０がパターンジェネレータ４０に対して第１のホワイトバランス調整用画像を主力するように指令する。これにより、パターンジェネレータ４０は第１のホワイトバランス調整用画像をパネルディスプレイモジュール１１がディスプレイ１２に出力することとなる。第１のホワイトバランス調整用画像は、例えばコンポーネント信号において輝度信号Ｙ値を例えばレンジの１０％程度に抑えた暗い無彩色の画像とされる。従って、ディスプレイ１２には暗いグレーの画像が映し出されることとなる。以上のようにして、第１のホワイトバランス調整用画像が主力されると、コンピュータ３０はステップＳ１１０にてカラーアナライザ２０からの色彩値の入力を受け付ける。例えば、本実施形態では色彩値がＲＧＢ値で表されるものとする。
【００２１】
ステップＳ１１０にて色彩値の入力が受け付けられると、ステップＳ１２０にてコンピュータ３０がパターンジェネレータ４０に対して第２のホワイトバランス調整用画像を主力するように指令する。すなわち、ステップＳ１００とステップＳ１２０においては、互いに輝度の異なる第１のホワイトバランス調整用画像と第２のホワイトバランス調整用画像が時分割的に表示させられることとなる（切替手段）。第２のホワイトバランス調整用画像は、輝度信号Ｙ値を例えばレンジの９０％程度に上げた明るい無彩色の画像とされる。従って、ディスプレイ１２には明るいグレーの画像が映し出されることとなる。第２のホワイトバランス調整用画像が主力されると、コンピュータ３０はステップＳ１３０にてカラーアナライザ２０からの色彩値の入力を受け付ける。
【００２２】
ステップＳ１３０にて色彩値の入力が受け付けられると、ステップＳ１４０にてコンピュータ３０がパターンジェネレータ４０に対して第３のホワイトバランス調整用画像を主力するように指令する。第３のホワイトバランス調整用画像は、輝度信号Ｙ値を例えばレンジの５０％程度にした中間輝度の無彩色の画像とされる。従って、ディスプレイ１２にはグレーの画像が映し出されることとなる。第３のホワイトバランス調整用画像が主力されると、コンピュータ３０はステップＳ１５０にてカラーアナライザ２０からの色彩値の入力を受け付ける。
【００２３】
以上のようにすることにより、コンピュータ３０はそれぞれ無彩色かつ輝度が異なる第１〜第３のホワイトバランス調整用画像に対応した色彩値を得ることができる。その際に、各輝度ごとにカラーアナライザ２０を設置する必要がないため、ホワイトバランス調整システム１００全体の構成を簡素化することができる。また、単一のカラーアナライザ２０にてすべての輝度を評価することができるため、複数のカラーアナライザ間の精度合わせを行う必要がない。
【００２４】
次に、ステップＳ１６０において調整パラメータの設定を行う。図４は、画質調整回路１１が行う画質調整処理と、ステップＳ１６０にて設定される調整パラメータをグラフによって説明している。同図上段においては、一例としてＲチャンネルについて画質調整回路１１に入力された入力信号値ｒｉと、画質調整後に画質調整回路１１から出力される出力信号値ｒｏとの関係を示している。このように、デジタル信号として入力された各階調の入力信号値ｒｉに対して出力信号値ｒｏを定義しておくことにより、画質調整回路１１においてはデジタル処理によって画質調整を行うことができる。
【００２５】
同図に示すように本実施形態の画質調整回路１１では入力信号値ｒｉにガンマ補正をかけることにより、同図下段に示すようなディスプレイ１２による線形的出力特性が実現され、カラーアナライザ２０で撮像した場合の色彩値Ｒも直線線状となることとなる。このガンマ補正におけるバイアス値（出力信号値ｒｏに一律加える補正値）やγ値を調整することにより、理想的な色彩値Ｒの特性を得ることができる。なお、図示しないがＧＢチャンネルについても同様の画質調整が独立して行われる。
【００２６】
図４下段においては、輝度信号Ｙが１０％，５０％，９０％においてそれぞれ色彩値Ｒの許容範囲は示されている。これらの輝度において色彩値Ｒすべての許容範囲内となる場合、全体として適正な補正が行われているということができる。例えば、輝度信号Ｙが１０％において色彩値Ｒが許容範囲よりも小さい上記ガンマ補正におけるバイアス値を増加させることにより、出力される色彩値Ｒが全体的に大きくすることができ、１０％における色彩値Ｒが許容範囲となるようにすることができる。同様に、輝度信号Ｙが５０％，９０％において色彩値Ｒが許容範囲となっていなければ、これらについて色彩値Ｒが許容範囲となるようにバイアス値を設定する。
【００２７】
ところが、いずれかの輝度において色彩値Ｒが許容範囲となるようにバイアス値を設定しようとすると、他の輝度において色彩値Ｒが許容範囲にならなくなることが予測される場合も考えられる。この場合は、γ値を新たに設定して補正曲線の形状を調整することにより、すべての輝度においてカラーアナライザ２０で撮像した色彩値Ｒが強調範囲となるように決定する（設定手段）。なお、ここで設定されるバイアス値やγ値が調整パラメータに相当する。
【００２８】
以上のようにして理想的な色彩値Ｒの特性を得ることができる調整パラメータが設定できると、ステップＳ１７０にて当該調整パラメータがコンピュータ３０からパネルディスプレイモジュール１１におけるマイコン１１ｄの入力ポート１１ｄ２に出力される（出力手段）。他のＧＢチャンネルについても色彩値Ｇ，Ｂが各輝度において許容範囲内となるような調整パラメータが出力される。各調整パラメータが入力されたマイコン１１ｄにおいては、当該調整パラメータをＲＯＭに更新記録させ、以降の画質調整においては画質調整回路１１が当該調整パラメータを取得して画質調整を行うこととなる。
【００２９】
なお、調整パラメータ自体を記憶させる必要はなく、当該調整パラメータを使用したガンマ補正による入力信号値ｒｉと出力信号値ｒｏとの対応関係を記述した補正テーブルを作成記憶し、画質調整において参照するようにしてもよい。これにより、ＲＧＢ各チャンネルの出力特性がそれぞれ理想的となるため、ＲＧＢ各色のバランスも良好となる。従って、白色を表示したときの色温度が所望の色温度となるような混色が得られ、ホワイトバランス調整を実現することができる。
【００３０】
また、アナログ入力端子１１ａを介して入力されＡ／Ｄ変換回路１１ｂにて変換した映像信号に基づいて表示したホワイトバランス調整用画像によって調整パラメータを設定しているため、Ａ／Ｄ変換回路１１ｂの出力特性のばらつきを補償することができる。本実施形態では、３個の輝度において色彩値の確認を行うようにしたが、より多くの輝度について色彩値の確認を行い、より細かい調整パラメータを設定するようにしてもよい。本発明では、輝度の変更が時分割的に行われるため、各輝度について複数のカラーアナライザを用意する必要がない。従って、簡易な設備構成を維持したまま、より多くの輝度について色彩値の確認することができる。
【図面の簡単な説明】
【００３１】
【図１】ホワイトバランス調整システムの概略構成図である。
【図２】パネルディスプレイモジュールのブロック図である。
【図３】ホワイトバランス調整システムのフローチャートである。
【図４】画質調整を説明する図である。
【符号の説明】
【００３２】
１００…ホワイトバランス調整システム、１０…パネル型テレビジョン、１１…パネルディスプレイモジュール、１１…画質調整回路、１１ａ…アナログ入力端子、１１ｂ…Ａ／Ｄ変換回路、１１ｃ…画質調整回路、１１ｄ…マイコン、１１ｅ…スケーラ回路、１１ｆ…ディスプレイドライバ、１１ｄ１…調整パラメータ、１１ｄ２…入力ポート、１２…ディスプレイ、２０…カラーアナライザ、３０…コンピュータ、４０…パターンジェネレータ。
【図１】
2008141587.tif 000003
【図２】
2008141587.tif 000004
【図３】
2008141587.tif 000005
【図４】
2008141587.tif 000006